(57)【要約】【課題】液体の滲出に起因した不具合を解消することができる滲出防止構造を提供する。【解決手段】容器体２１内の液状薬剤２の波が容器体２１に内嵌された蓋体２２の内嵌壁１２１に達した場合、内嵌壁１２１と容器体２１の周壁４９との間に生ずる毛細管現象によって液状薬剤２が内嵌壁１２１の外周側１２１ａの面と周壁４９の内周側４９ａの面との隙間に沿って上昇するとともに、周壁４９の上端１２２と上端１２２が対向する蓋体２２の対向部１２３との間に到達することがあり、周壁４９の上端１２２と対向部１２３との間には毛細管現象が生じ得る。しかし、周壁４９の上端１２２と対向部１２３間には間隙１５１が確保されており、液状薬剤２の毛細管現象が生じない。このため、液状薬剤２が上端１２２と対向部１２３との間を伝わって周壁４９の外周側４９ｂの面に滲出することを防止することができる。【選択図】図４
2015127206.tif 000002
【特許請求の範囲】
【請求項１】
液体を収容した容器体の開口部に蓋体が嵌着される構造において、
前記容器体の周壁の上端と該上端が対向する前記蓋体の対向部位との間に間隙を確保したことを特徴とする滲出防止構造。
【請求項２】
前記上端又は前記対向部位の少なくとも一方に突起を設けて前記間隙を確保したことを特徴とする請求項１記載の滲出防止構造。
【請求項３】
前記突起を向かい合う一組以上の対向する箇所に設けたことを特徴とする請求項２記載の滲出防止構造。
【請求項４】
前記突起を前記容器体と前記蓋体の嵌合部から所定の間隔を置いた位置に設けたことを特徴とする請求項２又は３記載の滲出防止構造。
【請求項５】
前記突起を前記対向部位に設けたことを特徴とする請求項２、３又は４記載の滲出防止構造。
【請求項６】
前記容器体の前記周壁にシボ加工されたシボ加工部を設定するとともに、該シボ加工部を有しない非シボ加工領域を前記周壁の上縁に沿って設定したことを特徴とする請求項１から５にいずれか記載の滲出防止構造。
【請求項７】
液体を収容した容器体の開口部に蓋体が嵌着されるとともに、前記容器体の周壁にシボ加工されたシボ加工部を有する構造において、
前記シボ加工部を有しない非シボ加工領域を前記周壁の上縁に沿って設定したことを特徴とする滲出防止構造。
【発明の詳細な説明】
【技術分野】
【０００１】
本発明は、液体の滲出を防止する滲出防止構造に関する。
【背景技術】
【０００２】
従来、図７に示すように、液状薬剤８０１を揮散する揮散装置８０２としては、上面開口状の容器体８０３に液状薬剤８０１を収容したものが知られている。
【０００３】
このような揮散装置８０２では、揺れが生じた際に収容された液状薬剤８０１が前記容器体８０３の周壁８１１を乗り越えてこぼれることがあった。
【０００４】
これを抑制する為に、前記容器体８０１の開口部に蓋体８２１を嵌着し、前記周壁８１１の上部に壁８２２を設ける構造を案出するに至った。
【発明の概要】
【発明が解決しようとする課題】
【０００５】
しかしながら、このような構造にあっては、揺れが生じた際に液状薬剤８０１の波が蓋体８２１の内嵌部８３１の高さ位置に達することがある。
【０００６】
すると、毛細管現象によって、前記液状薬剤８０１が前記容器体８０３周壁８１１の内側面と前記蓋体８２１内嵌部８３１の外側面の間８４１に沿って上昇するとともに、前記蓋体８２１のフランジ部８４２と前記周壁８１１の上端８４３との間８４４を通って前記周壁８１１外面に伝わってしまう。
【０００７】
このとき、前記周壁８１１の外周面８５１には、デザイン上シボ加工が施されており、前記液状薬剤８０１がシボ加工部分に沿って周壁８１１全面に滲み、当該容器体８０３の全周面が濡れてしまうという問題が生じ得る。
【０００８】
本発明は、このような従来の課題に鑑みてなされたものであり、液体の滲出に起因した不具合を解消することができる滲出防止構造を提供することを目的とするものである。
【課題を解決するための手段】
【０００９】
前記課題を解決するために本発明の請求項１の滲出防止構造にあっては、液体を収容した容器体の開口部に蓋体が嵌着される構造において、前記容器体の周壁の上端と該上端が対向する前記蓋体の対向部位との間に間隙を確保した。
【００１０】
すなわち、容器体に揺れが生じ、収容された液体の波が前記容器体に嵌着された蓋体の嵌着部分又は前記容器体の周壁上端に達した場合、当該周壁の上端と該上端が対向する前記蓋体の対向部位との間に毛細管現象が生じ得る。
【００１１】
このとき、前記周壁の上端と該上端が対向する前記対向部位との間には、間隙が確保されており、毛細管現象が生じない。このため、前記液体の前記上端と前記対向部位との間を伝わった前記周壁外面への滲出が防止される。
【００１２】
また、請求項２の滲出防止構造においては、前記上端又は前記対向部位の少なくとも一方に突起を設けて前記間隙を確保した。
【００１３】
すなわち、前記上端又は前記対向部位の少なくとも一方に突起が設けられており、この突起によって前記上端と前記対向部位との間に隙間が確保される。
【００１４】
さらに、請求項３の滲出防止構造では、前記突起を向かい合う一組以上の対向する箇所に設けた。
【００１５】
すなわち、前記突起を向かい合う一組以上の対向する箇所に設けることにより、蓋体が容器体と平行に嵌合されることで、蓋嵌合時に毛細管現象の発現を抑える効果を、全周囲間で均一に得ることができる。
【００１６】
加えて、請求項４の滲出防止構造にあっては、前記突起を前記容器体と前記蓋体の嵌合部から所定の間隔を置いた位置に設けた。
【００１７】
すなわち、前記突起を前記容器体と前記蓋体の嵌合部から所定の間隔を置いた位置に設けることで、前記突起等と上端面との間に生じる毛細管現象を抑え、滲出を抑制することができる。
【００１８】
さらに、請求項５の滲出防止構造では、前記突起を前記対向部位に設けた。
【００１９】
すなわち、前記突起は、前記蓋体に設定された前記対向部位に設けられている。このため、前記突起が前記容器体の前記周壁に設けられた場合と比較して、前記蓋体を外した状態での外観品質が高められる。
【００２０】
加えて、請求項６の滲出防止構造にあっては、前記容器体の前記周壁にシボ加工されたシボ加工部を設定するとともに、該シボ加工部を有しない非シボ加工領域を前記周壁の上縁に沿って設定した。
【００２１】
すなわち、前記容器体の前記周壁には、シボ加工が施されており、シボ加工部が形成されている。これにより、デザイン性の向上が図られる。
【００２２】
そして、前記周壁の上縁部には、前記シボ加工部を有しない非シボ加工領域が前記周壁の上縁に沿って設定されている。このため、仮に前記周壁の上端と該上端が対向する前記蓋体の対向部位との間から前記液体が前記周壁外面に漏れた場合であっても、当該液体の前記周壁外面に沿った広がりが防止される。
【００２３】
そして、本発明の請求項７の滲出防止構造にあっては、液体を収容した容器体の開口部に蓋体が嵌着されるとともに、前記容器体の周壁にシボ加工されたシボ加工部を有する構造において、前記シボ加工部を有しない非シボ加工領域を前記周壁の上縁に沿って設定した。
【００２４】
すなわち、容器体の周壁には、シボ加工が施されており、シボ加工部が形成されている。これにより、デザイン性の向上が図られる。
【００２５】
また、前記周壁の上縁部には、前記シボ加工部を有しない非シボ加工領域が前記周壁の上縁に沿って設定されている。このため、前記周壁の上端から容器体内の液体が前記周壁外面に漏れ出した場合であっても、当該液体の前記周壁外面に沿った広がりが防止される。
【発明の効果】
【００２６】
以上説明したように本発明の請求項１の滲出防止構造にあっては、容器体に揺れが生じ、収容された液体の波が前記容器体に嵌着された蓋体の嵌着部分又は前記容器体の周壁上端に達した場合、当該周壁の上端と該上端が対向する前記蓋体の対向部位との間に毛細管現象が生じ得るが、前記周壁の上端と該上端が対向する前記対向部位との間には、間隙が確保されており、毛細管現象が生じない。
【００２７】
このため、前記液体が前記上端と前記対向部位との間を伝わって前記周壁外面に滲出することを防止することができるので、前記上端と前記対向部位との間を伝わって液体が滲出する恐れがある場合と比較して、周壁外面が液体で濡れたり、液体が周壁外面を伝わって載置面を汚してしまうといった不具合を未然に防止することができる。
【００２８】
また、請求項２の滲出防止構造においては、前記周壁の上端又は該上端が対向する前記蓋体の対向部位の少なくとも一方に突起が設けられており、この突起によって前記上端と前記対向部位との間に隙間が確保される。
【００２９】
このため、前記容器体に前記蓋体を嵌着するだけで、前記上端と前記対向部位との間に隙間を確保することができるので、利便性が向上する。
【００３０】
さらに、請求項３の滲出防止構造では、前記突起を向かい合う一組以上の対向する箇所に設けたことにより、蓋体が容器体と平行に嵌合されることで、蓋嵌合時に毛細管現象の発現を抑える効果を、全周囲間で均一に得ることができる。
【００３１】
加えて、請求項４の滲出防止構造にあっては、前記突起を前記容器体と前記蓋体の嵌合部から所定の間隔を置いた位置に設けることで、前記突起等と上端面との間に生じる毛細管現象を抑え、滲出を抑制することができる。
【００３２】
さらに、請求項５の滲出防止構造では、前記突起を前記蓋体に設定された前記対向部位に設けた。
【００３３】
このため、前記突起が前記容器体の前記周壁上端に設けられた場合のように、前記蓋体を外した状態において、前記容器体の前記周壁上端に突起が露出することが無く、前記蓋体が外された状態での前記容器体の外観品質を高めることができる。
【００３４】
加えて、請求項６の滲出防止構造にあっては、前記容器体の前記周壁には、シボ加工が施されており、当該周壁には、シボ加工部が形成されている。これにより、前記容器体のデザイン性を高めることができる。
【００３５】
そして、前記周壁の上縁部には、前記シボ加工部を有しない非シボ加工領域が前記周壁の上縁に沿って設定されている。このため、仮に前記周壁の上端と該上端が対向する前記蓋体の対向部位との間から前記液体が前記周壁外面に滲出した場合であっても、当該液体の前記シボ加工部に沿った広がりを阻止することができる。
【００３６】
これにより、周壁外面が液体で濡れたり、周壁外面を伝わった液体が載置面を汚してしまうといった不具合を確実に防止することができる。
【００３７】
そして、本発明の請求項７の滲出防止構造にあっては、容器体の周壁には、シボ加工が施されており、シボ加工部が形成されている。これにより、前記容器体のデザイン性を高めることができる。
【００３８】
また、前記周壁の上縁部には、前記シボ加工部を有しない非シボ加工領域が前記周壁の上縁に沿って設定されている。このため、前記容器体内の液体が前記周壁の上端から該周壁外面に滲出した場合であっても、当該液体の前記シボ加工部に沿った広がりを阻止することができる。
【００３９】
これにより、周壁外面が液体で濡れたり、周壁外面を伝わった液体が載置面を汚してしまうといった不具合を確実に防止することができる。
【図面の簡単な説明】
【００４０】
【図１】本発明の実施の形態を示す斜視図である。
【図２】同実施の形態の平面図である。
【図３】同実施の形態の容器体を示す図で、（ａ）は平面図であり、（ｂ）は図３のＡ−Ａ線に沿った断面に相当する図である。
【図４】同実施の形態の要部を示す断面図である。
【図５】同実施の形態の蓋体を示す図で、（ａ）は底面図であり、（ｂ）は側面図である。
【図６】図５の（ａ）のＢ部拡大図である。
【図７】従来例を示す要部の断面図である。
【発明を実施するための形態】
【００４１】
以下、本発明の一実施の形態を図に従って説明する。
【００４２】
図１は、本実施の形態にかかる滲出防止構造を備えた揮散装置１を示す図であり、該揮散装置１は、液状薬剤２を揮散するものである（図３参照）。この液状薬剤２としては、芳香剤が用いられるが、消臭剤や防虫剤等であっても良い。
【００４３】
この揮散装置１は、前記液状薬剤２を貯留する薬剤貯留部１１と、該薬剤貯留部１１に貯留された液状薬剤２を揮散する揮散板１２とによって構成されており、該揮散板１２は、正方形状の板体によって構成されている。この揮散板１２の裏面には、細かい凹凸が全面にわたって形成されており、前記薬剤貯留部１１に貯留された液状薬剤２を吸い上げて揮散できるように構成されている。
【００４４】
前記薬剤貯留部１１は、図１及び図２に示すように、下部を構成する容器体２１と、該容器体２１の上面開口部に嵌着された蓋体２２とによって構成されている。
【００４５】
前記容器体２１は、図３にも示すように、横長に形成されており、長方形状の底面３１を備えている。該底面３１の四隅は、内側へ向けて円弧状に後退しており、当該底面３１の四隅には、各円弧部３２〜３５が形成されている。
【００４６】
前記底面３１の前縁には、前壁面４１が設けられており、前記底面３１の左前角部に設けられた左前円弧部３２には、左前角壁面４２が設けられている。前記底面３１の左縁には、左壁面４３が設けられており、前記底面３１の左後角部に設けられた左後円弧部３３には、左後角壁面４４が設けられている。前記底面３１の後縁には、後壁面４５が設けられており、前記底面３１の右後角部に設けられた右後円弧部３４には、右後角壁面４６が設けられている。前記底面３１の左縁には、左壁面４７が設けられており、前記底面３１の右前角部に設けられた右前円弧部３５には、右前角壁面４８が設けられている。前記各壁４１〜４８は、連設されており、これらの壁４１〜４８によって前記底面３１を包囲する周壁４９が形成されている。
【００４７】
前記底面３１の左寄りの部位には、円筒状の左円筒部５１が立設されており、該左円筒部５１には、左右方向に貫通する左切欠部５２，５２が形成されている。この左切欠部５２，５２によって前記左円筒部５１は前後に分割されており、円弧状の左前部構成部５３と左後部構成部５４とが形成されている。前記左前部構成部５３からは、左前補強リブ５５が延出しており、該左前補強リブ５５は、前記前壁面４１に連設されている。前記左後部構成部５４からは、左後補強リブ５６が延出しており、該左後補強リブ５６は、前記後壁面４５に連設されている。
【００４８】
前記底面３１の右寄りの部位には、円筒状の右円筒部６１が立設されており、該右円筒部６１には、左右方向に貫通する右切欠部６２，６２が形成されている。この右切欠部６２，６２によって前記右円筒部６１は前後に分割されており、円弧状の右前部構成部６３と右後部構成部６４とが形成されている。前記右前部構成部６３からは、右前補強リブ６５が延出しており、該右前補強リブ６５は、前記前壁面４１に連設されている。前記右後部構成部６４からは、右後補強リブ６６が延出しており、該右後補強リブ６６は、前記後壁面４５に連設されている。
【００４９】
図１に示したように、前記各切欠部５２，５２，６２，６２に前記揮散板１２の下端部を挿入することで、当該揮散板１２を起立した状態で保持できるように構成されている。また、前記各切欠部５２，５２，６２，６２および前記揮散板１２の下部に設けられた揮散板切欠部（図示省略）によって、前記各円筒部５１，６１内には、前記容器体２１に収容された液状薬剤２が出入りできるように構成されている。そして、前記底面３１は、前記各切欠部５２，５２，６２，６２が設けられた中心部に前記液状薬剤２が集まるように、前記前壁面４１及び前記後壁面４５から前記中心部へ向かうに従って下方へ傾斜するように構成されている。
【００５０】
前記周壁４９の高さ方向中央部には、図４にも示したように、側方に突出する突条７１が全周に渡って形成されている。この突条７１を境とした上部側と下部側とには、シボ加工が施されており、細かい凹凸からなるシボ加工部が所定箇所に形成されている。
【００５１】
具体的に説明すると、前記周壁４９の上縁から所定の高さ位置までの間には、シボ加工部を有しない第一非シボ加工領域８１が当該周壁４９の上縁に沿って設定されており、この第一非シボ加工領域８１の下部には、所定の高さ位置まで細かい凹凸からなる第一シボ加工部８２が形成されている。該第一シボ加工部８２の下部には、所定の高さ位置までシボ加工部を有しない第二非シボ加工領域８３が前記第一シボ加工部８２に沿って形成されており、この第二非シボ加工領域８３から前記突条７１までの間には、細かい凹凸からなる第二シボ加工部８４が形成されている。
【００５２】
また、前記突条７１の下部には、所定の高さ位置まで細かい凹凸からなる第三シボ加工部９１が形成されており、該第三シボ加工部９１の下部には、所定の高さ位置までシボ加工部を有しない第三非シボ加工領域９２が前記第三シボ加工部９１に沿って形成されている。この第三非シボ加工領域９２から当該周壁４９の下縁までの間には、細かい凹凸からなる第四シボ加工部９３が形成されている。
【００５３】
前記蓋体２２は、図１に示したように、前記容器体２１に適合した横長に形成されており、長方形状の天面１０１を備えている。該天面１０１の中央部には、図２及び図５に示すように、横長の長方形状の蓋体開口部１０２が設けられており、当該蓋体２２で前記容器体２１の上部開口部１０３（図３の（ｂ）参照）を閉鎖した状態で、前記容器体２１に立設された前記揮散板１２を前記蓋体開口部１０２を介して上方へ延出できるように構成されている（図１参照）。
【００５４】
この蓋体開口部１０２の外周部は、前記天面１０１で包囲されるように構成されている。また、前記天面１０１の蓋体開口部１０２との境界周縁に返し１０４，１０４が設けられている（図４及び図５参照）。これにより、当該揮散装置１が転倒した場合であっても、前記容器体２１内の液状薬剤２の流出を前記天面１０１および前記返し１０４，１０４によって阻止できるように構成されている。
【００５５】
該天面１０１の四隅は、図５に示したように、内側へ向けて円弧状に後退しており、当該天面１０１の四隅には、天面円弧部１１１〜１１４が形成されている。
【００５６】
この天面１０１の裏面には、当該天面１０１の周縁よりやや内側に内嵌壁１２１が天面１０１の全周縁に渡って形成されており、該内嵌壁１２１から天面１０１周縁までの間には、図４に示したように、当該蓋体２２の前記内嵌壁１２１を前記容器体２１の前記周壁４９上部に内嵌した状態で前記容器体２１の前記周壁４９の上端１２２に対向する対向部１２３が当該蓋体２２の周縁に沿って形成されている。
【００５７】
この対向部１２３は、当該蓋体２２を前記容器体２１に嵌着した状態において、図５に示すように、該容器体２１の前記前壁面４１上端１２２に対向する前壁面対向部１３１と、前記容器体２１の前記左前角壁面４２上端１２２に対向する左前角壁面対向部１３２と、前記容器体２１の前記左壁面４３上端１２２に対向する左壁面対向部１３３と、前記容器体２１の前記左後角壁面４４上端１２２に対向する左後角壁面対向部１３４と、前記容器体２１の前記後壁面４５上端１２２に対向する後壁面対向部１３５と、前記容器体２１の前記右後角壁面４６上端１２２に対向する右後角壁面対向部１３６と、前記容器体２１の前記右壁面４７上端１２２に対向する右壁面対向部１３７と、前記容器体２１の前記右前角壁面４８上端１２２に対向する右前角壁面対向部１３８とで構成されている。
【００５８】
前記前壁面対向部１３１の中央部には、前壁面対向突起１４１が、前記内嵌壁１２１から間隔をとって一体形成されており、前記蓋体２２を前記容器体２１に嵌着した状態で、前記前壁面対向突起１４１が前記前壁面４１の上端１２２に当接することで、当該前壁面４１の上端１２２と該上端１２２が対向する前記前壁面対向部１３１との間に間隙１５１（図４参照）を確保できるように構成されている。前記左前角壁面対向部１３２の中央部には、左前角壁面対向突起１４２が、前記内嵌壁１２１から間隔をとって一体形成されており、前記蓋体２２を前記容器体２１に嵌着した状態で、前記左前角壁面対向突起１４２が前記左前角壁面４２の上端１２２に当接することで、該左前角壁面４２の上端１２２と該上端１２２が対向する前記左前角壁面対向部１４２との間に間隙１５１を確保できるように構成されている。
【００５９】
前記左壁面対向部１３３の中央部には、左壁面対向突起１６１が、前記内嵌壁１２１から間隔をとって一体形成されており、前記蓋体２２を前記容器体２１に嵌着した状態で、前記左壁面対向突起１６１が前記左壁面４３の上端１２２に当接することで、該左壁面４３の上端１２２と該上端１２２が対向する前記左壁面対向部１３３との間に間隙１５１を確保できるように構成されている。前記左後角壁面対向部１３４の中央部には、左後角壁面対向突起１６２が、前記内嵌壁１２１から間隔をとって一体形成されており、前記蓋体２２を前記容器体２１に嵌着した状態で、前記左後角壁面対向突起１６２が前記左後角壁面４４の上端１２２に当接することで、該左後角壁面４４の上端１２２と該上端１２２が対向する前記左後角壁面対向部１３４との間に間隙１５１を確保できるように構成されている。
【００６０】
前記後壁面対向部１３５の中央部には、後壁面対向突起１７１が、前記内嵌壁１２１から間隔をとって一体形成されており、前記蓋体２２を前記容器体２１に嵌着した状態で、前記後壁面対向突起１７１が前記後壁面４５の上端１２２に当接することで、該後壁面４５の上端１２２と該上端１２２が対向する前記後壁面対向部１３５との間に間隙１５１を確保できるように構成されている。前記右後角壁面対向部１３６の中央部には、右後角壁面対向突起１７２が、前記内嵌壁１２１から間隔をとって一体形成されており、前記蓋体２２を前記容器体２１に嵌着した状態で、前記右後角壁面対向突起１７２が前記右後角壁面４６の上端１２２に当接することで、該右後角壁面４６の上端１２２と該上端１２２が対向する前記右後角壁面対向部４６との間に間隙１５１を確保できるように構成されている。
【００６１】
前記右壁面対向部１３７の中央部には、右壁面対向突起１８１が、前記内嵌壁１２１から間隔をとって一体形成されており、前記蓋体２２を前記容器体２１に嵌着した状態で、前記右壁面対向突起１８１が前記右壁面４７の上端に当接することで、該右壁面４７の上端１２２と該上端１２２が対向する前記右壁面対向部１３７との間に間隙１５１を確保できるように構成されている。前記右前角壁面対向部１３８の中央部には、右前角壁面対向突起１８２が、前記内嵌壁１２１から間隔をとって一体形成されており、前記蓋体２２を前記容器体２１に嵌着した状態で、前記右前角壁面対向突起１８２が前記右前角壁面４８の上端１２２に当接することで、該右前角壁面４８の上端１２２と該上端１２２が対向する前記右前角壁面対向部１３８との間に間隙１５１を確保できるように構成されている。
【００６２】
これにより、前記蓋体２２には、対向する箇所に設けられた対をなす突起１４１，１７１、１４２，１７２、１６１，１８１、１６２，１８２が四組設けられている。
【００６３】
前記各突起１４１，１４２，１６１，１６２，１７１，１７２，１８１，１８２は、図６に示すように（左前角壁面対向突起１４２を例に挙げて図示）、横長形状に形成されており、角部が丸められている。前記各突起１４１，１４２，１６１，１６２，１７１，１７２，１８１，１８２の高さ寸法は、対応する壁面４１〜４８の上端１２２と該上端１２２が対向する各対向部１３１〜１３８との間に前記間隙１５１を形成できる寸法に設定されており、この間隙１５１は、前記液状薬剤２との関係によって設定されている。すなわち、前記間隙１５１は、前記液状薬剤２の表面張力によって毛細管現象が生じない寸法となるように設定されている。
【００６４】
以上の構成にかかる本実施において、揮散装置１に揺れが生じ、容器体２１に収容された液状薬剤２の波が前記容器体２１に内嵌された蓋体２２の内嵌壁１２１に達した場合、該内嵌壁１２１と前記容器体２１の周壁４９との間に生ずる毛細管現象によって前記液状薬剤２が前記内嵌壁１２１外周側１２１ａの面と前記周壁４９内周側４９ａの面との隙間に沿って上昇するとともに、前記周壁４９の上端１２２と該上端１２２が対向する前記蓋体２２の対向部１２３との間に到達することがある。
【００６５】
このとき、前記周壁４９の上端１２２と該上端１２２が対向する前記対向部１２３との間には毛細管現象が生じ得る。
【００６６】
しかし、本実施の形態においては、前記周壁４９の上端１２２と該上端１２２が対向する前記対向部１２３との間には、間隙１５１が確保されており、前記液状薬剤２の毛細管現象が生じない。
【００６７】
このため、前記液状薬剤２が前記上端１２２と前記対向部１２３との間を伝わって前記周壁４９の外周側４９ｂの面に滲出することを防止することができる。したがって、前記上端１２２と前記対向部１２３との間を伝わって液状薬剤２が滲出する恐れがある場合と比較して、周壁４９外周側４９ｂの面が液状薬剤２で濡れたり、液状薬剤２が周壁４９の外周側４９ｂの面を伝わって載置面を汚してしまうといった不具合を未然に防止することができる。
【００６８】
また、本実施の形態では、前記周壁４９の上端１２２に各突起１４１，１４２，１６１，１６２，１７１，１７２，１８１，１８２が設けられており、これらの突起１４１，１４２，１６１，１６２，１７１，１７２，１８１，１８２によって前記上端１２２と前記対向部１２３との間に隙間１５１が確保される。
【００６９】
このため、前記容器体２１に前記蓋体２２を嵌着するだけで、前記上端１２２と前記対向部２３との間に前記隙間１５１を確保することができるので、利便性が向上する。
【００７０】
さらに、前記蓋体２２には、対向する箇所に設けられた対をなす突起１４１，１７１、１４２，１７２、１６１，１８１、１６２，１８２が四組設けられている。このため、前記蓋体２２が前記容器体２１と平行に嵌合されることで、蓋嵌合時に毛細管現象の発現を抑える効果を、全周囲間で均一に得ることができる。
【００７１】
加えて、前記各突起１４１，１４２，１６１，１６２，１７１，１７２，１８１，１８２を前記容器体２１と前記蓋体２２の嵌合部、すなわち前記内嵌壁１２１から所定の間隔を置いた位置に設けることで、前記各突起１４１，１４２，１６１，１６２，１７１，１７２，１８１，１８２等と上端面１２２との間に生じる毛細管現象を抑え、滲出を抑制することができる。
【００７２】
また、前記各突起１４１，１４２，１６１，１６２，１７１，１７２，１８１，１８２は、前記蓋体２２に設定された前記対向部１２３に設けられている。
【００７３】
このため、前記各突起１４１，１４２，１６１，１６２，１７１，１７２，１８１，１８２が前記容器体２１の前記周壁４９上端１２２に設けられた場合と比較して、前記蓋体２２を外した状態において、前記容器体２１の前記周壁４９上端１２２に前記各突起１４１，１４２，１６１，１６２，１７１，１７２，１８１，１８２が露出することが無く、前記蓋体２２が外された状態での前記容器体２１の外観品質を高めることができる。
【００７４】
そして、前記容器体２１の前記周壁４９には、シボ加工が施されており、当該周壁４９には、各シボ加工部８２，８４，９１，９３が形成されている。これにより、当該容器体２１のデザイン性を高めることができる。
【００７５】
このとき、前記周壁４９の上縁部には、前記シボ加工部８２を有しない第一非シボ加工領域８１が前記周壁４９の上縁に沿って設定されている。このため、仮に前記周壁４９の上端１２２と該上端１２２が対向する前記蓋体２２の対向部１２３との間から前記液状薬剤２が前記周壁４９外面に滲出した場合であっても、当該液状薬剤２の前記各シボ加工部８２，８４，９１，９３に沿った広がりを阻止することができる。
【００７６】
これにより、周壁４９の外周側４９ｂの面が液状薬剤２で濡れたり、周壁４９の外周側４９ｂの面を伝わった液状薬剤２が載置面を汚してしまうといった不具合を確実に防止することができる。
【００７７】
なお、本実施の形態には、前記各突起１４１，１４２，１６１，１６２，１７１，１７２，１８１，１８２を前記蓋体２２側に設けた場合に付いて説明したが、これに限定されるものでは無く、前記容器体２１の前記周壁４９の上端１２２に設けても良い。
【００７８】
また、本実施の形態では、前記各突起１４１，１４２，１６１，１６２，１７１，１７２，１８１，１８２を個別に設けた場合に付いて説明したが、これに限定されるものでは無く、単一の突起を連続して設けても良い。
【００７９】
また、本実施の形態では、前記容器体２１の周壁４９上端１２２及び該上端１２２が対向する前記蓋体２２の対向部１２３間に間隙１５１を確保する構造と、前記容器体２１周壁４９の上端部に第一非シボ加工領域８１を設定する構造とを同時に実施した場合に付いて説明したが、これに限定されるものでは無く、いずれか一方を実施することにより、前記容器体２１周壁４９への液状薬剤２の滲出による問題点を解消することができる。
【符号の説明】
【００８０】
１    揮散装置
２    液状薬剤
２１    容器体
２２    蓋体
４９    周壁
８１    第一非シボ加工領域
１０３    上部開口部
１２２    上端
１２３    対向部
１４１    前壁面対向突起
１５１    間隙
【図１】
2015127206.tif 000003
【図２】
2015127206.tif 000004
【図３】
2015127206.tif 000005
【図４】
2015127206.tif 000006
【図５】
2015127206.tif 000007
【図６】
2015127206.tif 000008
【図７】
2015127206.tif 000009